(57)【要約】【課題】ベイトリールを保持し且つフルパーミングが容易に実現されるリールシートの提供。【解決手段】このリールシート１０は、筒状本体２１とパーミングサポート２２とを有する。釣竿本体１１は筒状本体２１に釣竿本体１１に挿通され、筒状本体２１のシート面２９にベイトリールが固定される。筒状本体２１の中央部にリール保持部２４が設けられており、これにパーミングサポート２２が一体的に形成されている。パーミングサポート２２の下面に相当する外周面３７は、リール保持部２４の下面を覆う。パーミングサポート２２の側面に相当する一対の外周面３８は、リール保持部２４の側面を覆いつつ左右方向に対称に膨らむ。上記外周面３７に連続する外周面４４は、固定フード３０が形成された部位の側方を覆う。パーミングサポート２２の下部に鍔部３４が突設されており、その前面５２が釣人の手に当接する。【選択図】図１
2019146504.tif 000002
【特許請求の範囲】
【請求項１】
釣竿を構成するブランクに軸方向に沿って装着され、釣用リールが着脱されるリールシートであって、
上面を有し、当該上面に釣用リールの脚が載置されるシート面及び当該シート面の上記軸方向の後側に隣接して上記脚が嵌合保持される固定フードが形成された筒状本体と、
当該筒状本体のうち少なくとも上記シート面及び固定フードが設けられた領域の下面及び側面を囲繞し、パーミングを支援するパーミングサポートとを備え、
当該パーミングサポートは、
上記領域に対応する上記筒状部材の下面を囲繞する第１湾曲面と、
当該第１湾曲面に連続して上側へ延びると共に、上記筒状部材の側面を囲繞しつつ左右方向に対称に膨出する一対の第２湾曲面と、
各第２湾曲面に連続して上側へ延びると共に、上記領域のうち上記固定フードが形成された部位の側方を覆う一対の第３湾曲面とを有するリールシート。
【請求項２】
上記一対の第２湾曲面又は一対の第３湾曲面に連続して形成され、上記軸方向と交差する方向の後側且つ下側へ延びる当接面をさらに有する請求項１に記載のリールシート。
【請求項３】
上記当接面は、上記一対の第２湾曲面又は一対の第３湾曲面の間の中央に配置され、上記軸方向前側に凸となる湾曲面である請求項２に記載のリールシート。
【請求項４】
上記第１湾曲面は、掌中央が巻き付くように上記軸方向を基準に左右対称に形成されている請求項１から３のいずれかに記載のリールシート。
【請求項５】
上記第２湾曲面及び第３湾曲面は、母指球、指尖球、示指、中指、薬指、小指が巻き付くように一様に膨出している請求項１から４のいずれかに記載のリールシート。
【請求項６】
上記一対の第３湾曲面の上端部は、上記筒状部材の周面に沿って互いに対称に近接し合うように湾曲している請求項１から５のいずれかに記載のリールシート。
【発明の詳細な説明】
【技術分野】
【０００１】
この発明は、釣竿本体に設けられ、釣用リールを保持するリールシートの構造に関する。
【背景技術】
【０００２】
釣用リールが装着されるタイプの釣竿は、一般に、釣竿本体と、これに設けられたリールシートとを有する。リールシートは、互いに接離する一対のフードを備えており、これらが釣用リールの脚を挟持することにより、当該釣用リールがリールシートを介して釣竿本体に固定される。たとえばベイトリール（両軸受け型リール）は、リールシートが上に向けられた状態で装着される。つまり、釣人は、実釣において、釣竿本体をベイトリールと共に把持し、手のひらの上に釣竿本体及びベイトリールを乗せる格好となる。
【０００３】
したがって、釣人がキャスティングやフッキングを安定的に行うために、パーミングがきわめて重要である。そのため、従来のリールシートの外形形状が種々改良されており（たとえば、特許文献１〜特許文献４参照）、リールシートが釣竿本体のグリップを兼ねている。
【先行技術文献】
【特許文献】
【０００４】
【特許文献１】特開平９−１７２９１５号公報
【特許文献２】実開平６−３０７５号公報
【特許文献３】実開平２−１７４６２４号公報
【特許文献４】実開平１−８２７６５号公報
【発明の概要】
【発明が解決しようとする課題】
【０００５】
ところで、いわゆるフルパーミングとは、手のひらの中央部に確実にリールシート及び釣竿本体が載置され、これらがすべての指で囲繞される状態、好ましくは、釣人の親指がベイトリールのサムバーに確実に掛かる状態をいう。実釣においては、このフルパーミングが実現されることが重要である。
【０００６】
本発明はかかる背景のもとになされたものであって、その目的は、ベイトリールを保持し且つフルパーミングが容易に実現されるリールシートを提供することである。
【課題を解決するための手段】
【０００７】
(1) 本発明に係るリールシートは、釣竿を構成するブランクに軸方向に沿って装着され、釣用リールが着脱されるものである。このリールシートは、上面を有し、当該上面に釣用リールの脚が載置されるシート面及び当該シート面の上記軸方向の後側に隣接して上記脚が嵌合保持される固定フードが形成された筒状本体と、当該筒状本体のうち少なくとも上記シート面及び固定フードが設けられた領域の下面及び側面を囲繞し、パーミングを支援するパーミングサポートとを備える。当該パーミングサポートは、上記領域に対応する上記筒状部材の下面を囲繞する第１湾曲面と、当該第１湾曲面に連続して上側へ延びると共に、上記筒状部材の側面を囲繞しつつ左右方向に対称に膨出する一対の第２湾曲面と、各第２湾曲面に連続して上側へ延びると共に、上記領域のうち上記固定フードが形成された部位の側方を覆う一対の第３湾曲面とを有する。
【０００８】
この構成によれば、釣人は、たとえばベイトリールをリールシートに装着し、パーミングサポートを握り込むことにより釣竿及びベイトリールを把持し操作することができる。釣人は、下から支えるようにして手をパーミングサポートに当接させる。第１湾曲面が掌中央に当接する。母指球、指尖球、示指、中指、薬指、小指が第２湾曲面及び第３湾曲面に滑らかに沿う。親指がベイトリールのサムバーに当接する。
【０００９】
(2) 上記一対の第２湾曲面又は一対の第３湾曲面に連続して形成され、上記軸方向と交差する方向の後側且つ下側へ延びる当接面が設けられていてもよい。
【００１０】
この構成では、釣人がパーミングサポートを握り込んだとき、母指球、指尖球及び手根の境界部分が当接面に当たる。これにより、より確実なフルパーミングが実現される。
【００１１】
(3) 上記当接面は、上記一対の第２湾曲面又は一対の第３湾曲面の間の中央に配置され、上記軸方向前側に凸となる湾曲面であるのが好ましい。
【００１２】
(4) 上記第１湾曲面は、掌中央が巻き付くように上記軸方向を基準に左右対称に形成されているのが好ましい。
【００１３】
(5) 上記第２湾曲面及び第３湾曲面は、母指球、指尖球、示指、中指、薬指、小指が巻き付くように一様に膨出しているのが好ましい。
【００１４】
(6) 上記一対の第３湾曲面の上端部は、上記筒状部材の周面に沿って互いに対称に近接し合うように湾曲しているのが好ましい。
【発明の効果】
【００１５】
この発明によれば、釣人は、下から支えるようにしてパーミングサポートを握り込むだけで、母指球、掌中央、指尖球、示指、中指、薬指、小指がパーミングサポートの外周面に滑らかに沿うので、親指がベイトリールのサムバーに容易に当接し得る。つまり、簡単にフルパーミングが実現され、快適な釣りが可能となる。
【図面の簡単な説明】
【００１６】
【図１】図１は、本発明の一実施形態に係るリールシートの斜視図である。
【図２】図２は、本発明の一実施形態に係るリールシートの斜視図である。
【図３】図３は、本発明の一実施形態に係るリールシートの斜視図である。
【図４】図４は、本発明の一実施形態に係るリールシートの斜視図である。
【図５】図５は、本発明の一実施形態に係るリールシートの正面図である。
【図６】図６は、本発明の一実施形態に係るリールシートの左側面図である。
【図７】図７は、本発明の一実施形態に係るリールシートの右側面図である。
【図８】図８は、本発明の一実施形態に係るリールシートの平面図である。
【図９】図９は、本発明の一実施形態に係るリールシートの底面図である。
【発明を実施するための形態】
【００１７】
以下、本発明の好ましい実施形態が、適宜図面が参照されながら説明される。なお、本実施の形態は、本発明に係るリールシートの一態様にすぎず、本発明の要旨を変更しない範囲で実施態様が変更されてもよいことは言うまでもない。
【００１８】
＜リールシートの構成＞
【００１９】
図１は、本発明の一実施形態に係るリールシート１０の外観斜視図である。
【００２０】
このリールシート１０は、全体として筒状を呈し、釣竿本体１１（典型的には元節：特許請求の範囲に記載された「ブランク」に相当）に嵌め合わされ、固定される。図示されていない釣用リール（本実施形態ではベイトリール）は、リールシート１０に装着されるようになっている。本実施形態において、図中矢印１２は釣竿本体１１の軸方向であり、矢印１３、１４がそれぞれ前側及び後側、矢印１５、１６がそれぞれ上側及び下側、矢印１７、１８がそれぞれ左側及び右側を示す。したがって、同図は、リールシート１０を左前上方から視た状態を示している。図２〜図４は、それぞれ、リールシート１０を左後上方、左前下方、左後下方から視た状態を示す斜視図である。
【００２１】
リールシート１０は、筒状本体２１と、パーミングサポート２２とを有する。これらは、典型的には、ポリアミド（ＰＡ）、ポリオキシメチレン（ＰＯＭ）のほか、炭素繊維等の繊維により強化された樹脂からなり、本実施形態では一体的に形成されている。もっとも、筒状本体２１及びパーミングサポート２２が別体として構成され、既知の手段によりパーミングサポート２２が筒状本体２１に取り付けられていてもよい。本実施形態の特徴とするところは、パーミングサポート２２の形状であり、後の詳述される外形に成形されることにより、実釣においていわゆるフルパーミングが容易に実現されるようになっている。
【００２２】
図１、図２及び図８が示すように、筒状本体２１は円筒状を呈し、釣竿本体１１が筒状部材２１の内側に挿通されている。筒状部材２１は、既知の手段（たとえば接着剤等）により釣竿本体１１の所定の位置に固定される。
【００２３】
図１及び図８が示すように、筒状本体２１は、前側１３から後側１４に向かって順に、締付パイプ部２３、リール保持部２４及びリアグリップ部２５を有している。これらは、既知の構造であり、一体的に形成されている。上記リール保持部２４が、特許請求の範囲に記載された「領域」に相当する。
【００２４】
締付パイプ部２３の内壁面に複数のリブ２６（図１参照）が設けられている。このリブ２６は、軸方向１２の沿って延びており、釣竿本体１１を支持し固定する。締付パイプ部２３の外周面に雄ネジ２７が形成されている。図示されていないが、締付ナットが締付パイプ部２３の雄ネジ２７と螺合するようになっている。当該締付ナットの構造は既知であり、この締付ナットはフードを備えている。このフードにベイトリールの脚が嵌め込まれるようになっている。
【００２５】
リール保持部２４の上面２８（特許請求の範囲に記載された「上面」に相当）は平坦面となっており、この上面２８にシート面２９が形成されている。ベイトリールの脚は、このシート面２９上に載置される。リール保持部２４に固定フード３０が一体的に形成されている。固定フード３０は、シート面２９に隣接して当該シート面２９の後側１４に設けられている。ベイトリールの一方の脚が固定フード３０に挿入された状態で、上記締付ナットが締付パイプ部２３にねじ込まれると、当該締付ナットに設けられたフードにベイトリールの他方の脚が挿入され、これらフード及び固定フード３０によりベイトリールの脚が挟持される。
【００２６】
リアグリップ部２５は、リール保持部２４の後側１４に設けられている。リアグリップ部２５の外形形状は特に限定されるものではないが、本実施形態では同図のような円柱状を呈し、釣人が握りやすい外径寸法に設定されている。
【００２７】
図１ないし図４が示すように、パーミングサポート２２は、リール保持部２４と一体的に形成されている。本実施形態では、パーミングサポート２２がリール保持部２４に設けられているが、筒状本体２１の他の部位に設けられていてもよい。
【００２８】
パーミングサポート２２は、全体として器状を呈し、リール保持部２４を内側に抱くように形成されている。パーミングサポート２２は、第１湾曲部３１（図３、図４、図５、図９参照）と、一対の第２湾曲部３２（図１〜図５、図８、図９参照）と、第３湾曲部３３（図１〜図５、図８参照）と、鍔部３４（図１〜図４参照）とを有する。これらは、各図が示すように、三次元的に滑らかに連続している。各図においては、第１湾曲部３１、第２湾曲部３２、第３湾曲部３３及び鍔部３４は、二点鎖線によって区画される仮想部位に対応している。つまり、パーミングサポート２２の外周面には、屈曲された部位や不連続な部位は存在しない。ただし、本実施形態では、図１〜図５及び図９が示すように、パーミングサポート２２の外周面に沿って複数の凹条３５が形成されている。本実施形態では、パーミングサポート２２の左右にそれぞれ３本の凹条３５が設けられているが、凹条３５の数は特に限定されない。凹条３５の機能については後述される。
【００２９】
図３〜図５及び図９が示すように、第１湾曲部３１は、リール保持部２４の下面３６に設けられている。第１湾曲部３１は、図３、図５及び図９において二点鎖線４６で囲まれる部位である。本実施形態では、第１湾曲部３１は、細長のトレイ状を呈する。第１湾曲部３１の断面形状は、下側１６に向かって凸となる円弧状に形成され（図３参照）、軸方向１２に沿って延びている。この第１湾曲部３１の外周面３７（特許請求の範囲に記載された「第１湾曲面」に相当）も下側１６に向かって凸となる円弧状を呈し、上記下面３６を囲繞している。本実施形態では、これらの図が示すように、外周面３７は、軸方向１２を基準として左右対称に形成されている。
【００３０】
第２湾曲部３２は、第１湾曲部３１及び鍔部３４に連続して上側１５に延びている。具体的には、第２湾曲部３２は、第１湾曲部３１の左右の上縁（仮想の上縁４２：二点鎖線４６が示す境界）及び鍔部３４の上縁４９に連続しており、左側１７及び右側１８に対称に配置されている。第２湾曲部３２は、図３、図５及び図９において二点鎖線４６、４７、４８で囲まれる部位である。各第２湾曲部３２の外周面３８（特許請求の範囲に記載された「第２湾曲面」に相当）は、第１湾曲部３１の外周面３７及び鍔部３４に滑らかに連続して上側１５へ延びている。一対の外周面３８は、左側１７及び右側１８に向かって膨らんだ形状である。図８が示すように、第２湾曲部３２は、リール保持部２４の左右の側面４０、４１（特許請求の範囲に記載された「筒状部材の側面」に相当）との間に所定の隙間３９を形成するように膨出している。したがって、一対の外周面３８は、上記側面４０、４１を囲繞しつつ左側１７及び右側１８に対称に且つ一様に膨出している。この膨出寸法Ｐは、特に限定されるものではないが、その最大寸法の位置は、固定フード３０の頂部５１近傍あるいはそれよりも後側１４であるのが好ましい。
【００３１】
図２及び図５、図１、図３、図４が示すように、第３湾曲部３３は、第２湾曲部３２に連続して上側１５に延びている。具体的には、第２湾曲部３２の左右の上縁（仮想の上縁４３：二点鎖線４７が示す境界）に連続しており、左側１７及び右側１８に対称に配置されている。各第３湾曲部３３の外周面４４（特許請求の範囲に記載された「第３湾曲面」に相当）は、第２湾曲部３２の外周面３８に滑らかに連続して上側１５へ延びている。この一対の外周面４４は、上記一対の外周面３８にそれぞれ連続して、左側１７及び右側１８に対称に且つ一様に膨出している。各第３湾曲部３３は、リール保持部２４の固定フード３０が形成された部位の側方を覆っている。本実施形態では、この第３湾曲部３３は、上記筒状本体２１の周面に沿って内側に湾曲している（図６及び図８参照）。したがって、上記外周面４４の上端部４５は、互いに対称に近接し合うように湾曲している。
【００３２】
鍔部３４は、第２湾曲部３２及び第１湾曲部３１に連続して下側１６に延びている。具体的には、第２湾曲部３２の左右の下縁（二点鎖線４８が示す縁部）及び第１湾曲部３１の後縁（二点鎖線４６が示す縁部）に連続している。これら二点鎖線４６、４８が示す縁部は、鍔部３４の上縁４９と一致している。鍔部３４の外形形状は、前面５２（特許請求の範囲に記載された「当接面」に相当）及び後面５３を有し、その断面形状は、図９が示すように略菱形を呈する。もっとも、鍔部３４の外形形状は特に限定されるものではない。
【００３３】
本実施形態では、鍔部３４の外形形状は、上記上縁４９から下側１６に向けて漸次小さくなっており、下端に向かって先鋭的に形成されている。図５において一点鎖線５４が示すように、鍔部３４は、上記上縁４９から下側１６に向かって、軸方向１２と交差する方向に沿って突出している。
【００３４】
鍔部３４の前面５２は、前側１３に凸となる曲面に形成されている。この前面５２は、上記外周面３７及び一対の外周面３８に滑らかに連続しており、外周面３７の後方において、一対の外周面３８の間の中央に配置されている。前述のように、鍔部３４が上記一点鎖線５４に沿って突出していることから、上記前面５２は、上記一点鎖線５４に沿う方向で後側１４且つ下側１９に延びている。
【００３５】
なお、本実施形態では、前述のようにパーミングサポート２２は一体的に形成されており、第１湾曲部３１、第２湾曲部３２、第３湾曲部３３及び鍔部３４の相互の境界は適宜設計変更され得る。したがって、鍔部３４の前面５２は、本実施形態では上記外周面３７及び外周面３８に滑らかに連続しているが、かかる解釈に限定されるものではなく、当該前面５２は、第３湾曲部３３の外周面４４とも連続していると解釈することも可能である。
【００３６】
＜作用効果＞
【００３７】
実釣において釣人は、リールシート１０にベイトリールを装着し、パーミングサポート２２を握り込んでパーミングを行い、釣竿及びベイトリールを把持し操作する。図２及び図５が示すように、釣人は、リールシート１０の後側１４から、手をパーミングサポート２２の下に沿わせ、下から上にパーミングサポート２２を支えるように把持する。これにより、釣人の掌中央がパーミングサポート２２の外周面３７に当接し、母指球、指尖球、示指、中指、薬指、小指がパーミングサポート２２の外周面３８及び外周面４４に滑らかに沿う（図３〜図５参照）。つまり、釣人は、下から支えるようにしてパーミングサポート２２を握り込むだけで、母指球、掌中央、指尖球、示指、中指、薬指、小指がパーミングサポート２２の外周面３７、３８、４４に滑らかに沿うので、親指がベイトリールのサムバーに容易に当接する。したがって、簡単にフルパーミングが実現され、快適な釣りが可能となる。
【００３８】
本実施形態では、鍔部３４が形成されているから、釣人がパーミングサポート２２を握り込んだとき、母指球、指尖球及び手根の境界部分が鍔部３４の前面５２に当たる。これにより、釣人はより確実にパーミングサポート２２を握ることができ、より良好なフルパーミングが実現される。
【００３９】
本実施形態では、パーミングサポート２２に凹条３５が設けられているので、釣人がパーミングサポート２２を握り込んだときに、凹条３５が滑り止め効果を発揮する。なお、この凹条３５は、凸条であってもよい。
【００４０】
本実施形態では、パーミングサポート２２の一対の外周面４４の上端部４５は、互いに対称に近接し合うように湾曲している。つまり、こららは内側に絞り込まれているから（図６〜図８参照）、釣人がパーミングサポート２２を握り込んだときに、特に中指、薬指、小指がパーミングサポート２２の外周面４４及びその近傍により滑らかに沿うという利点がある。
【符号の説明】
【００４１】
１０・・・リールシート
１１・・・釣竿本体
１２・・・軸方向
２１・・・筒状本体
２２・・・パーミングサポート
２３・・・締付パイプ部
２４・・・リール保持部
２８・・・上面
２９・・・シート面
３０・・・固定フード
３１・・・第１湾曲部
３２・・・第２湾曲部
３３・・・第３湾曲部
３４・・・鍔部
３６・・・下面
３７・・・外周面
３８・・・外周面
３９・・・隙間
４０・・・側面
４１・・・側面
４２・・・上縁
４３・・・上縁
４４・・・外周面
４５・・・上端部
５２・・・前面
【図１】
2019146504.tif 000003
【図２】
2019146504.tif 000004
【図３】
2019146504.tif 000005
【図４】
2019146504.tif 000006
【図５】
2019146504.tif 000007
【図６】
2019146504.tif 000008
【図７】
2019146504.tif 000009
【図８】
2019146504.tif 000010
【図９】
2019146504.tif 000011